(57)【要約】コンピューターコンポーネントを表面に据え付ける調整可能なシステムであって、旋回する据え付け構造を有する調整可能な水平アセンブリと、二つのスライドする押出し部を特徴とする調整可能な垂直アセンブリと、仕事場内のコンピューターコンポーネントの効率的据え付け用の長いねじと係合されたストッパーくさびとを含む。一実施形態で、システムは、このコンポーネントの第一の寸法に垂直に適応する垂直アセンブリであって、垂直アセンブリは、外側の押出し部、内側の押出し部（外側の押出し部の中でスライド可能に係合される）と、内側の押出し部および外側の押出し部を互いに対して実質的に動かなくするストッパー手段と、このコンポーネントを安定させる基部（外側の押出し部の遠位端に緊密に取り付けられる）とを備える、垂直アセンブリを備え、かつ、システムを表面にしっかり留める据え付け手段（垂直アセンブリに取り付けられる）を備えている。
2010522373.tif 000002
【特許請求の範囲】
【請求項１】
コンピューターコンポーネント据え付けシステムであって、該コンピューターコンポーネント据え付けシステムは、
コンピューターコンポーネントの第一の寸法に対して垂直に適応する垂直アセンブリであって、該垂直アセンブリは、
外側の押出し部、内側の押出し部を備え、該内側の押出し部は、該外側の押出し部の中でスライド可能に係合される、外側の押出し部、内側の押出し部と、
該内側の押出し部と該外側の押出し部とを互いに対して実質的に動かないようにするストッパー手段と、
該コンピューターコンポーネントを安定させる基部であって、該基部は、該外側の押出し部の遠位端に緊密に取り付けられる、基部と
を備えている、垂直アセンブリを備え、かつ
該コンピューターコンポーネント据え付けシステムは、
該コンピューターコンポーネント据え付けシステムを表面にしっかり留める据え付け手段であって、該据え付け手段は、該垂直アセンブリに取り付けられる、据え付け手段と
を備えている、コンピューターコンポーネント据え付けシステム。
【請求項２】
前記ストッパー手段は、
くさびであって、該くさびは、前記内側の押出し部と前記外側の押出し部との間で動作可能に係合される、くさびと、
長いねじであって、該長いねじは、第一の端および第二の端を有し、該第一の端で該くさびとねじで係合される、長いねじと
を備え、該長いねじが第一の方向に回されると、該くさびは上向きに動き、該内側の押出し部と該外側の押出し部とを互いに対して実質的に動かさないように、該内側の押出し部と該外側の押出し部との間につかえ、かつ、該長いねじが第二の方向に回されると、該くさびは下向きに動き、該内側の押出し部と該外側の押出し部とが互いに対してスライドすることを可能にするようにはずれる、請求項１に記載のコンピューターコンポーネント据え付けシステム。
【請求項３】
前記長いねじは、該長いねじを回すことを容易にするように、該長いねじの前記第二の端に接続されたハンドルをさらに備えている、請求項２に記載のコンピューターコンポーネント据え付けシステム。
【請求項４】
前記コンピューターコンポーネントの第二の寸法に対して水平に適応する水平アセンブリをさらに備えている、請求項２に記載のコンピューターコンポーネント据え付けシステム。
【請求項５】
前記水平アセンブリは、
水平プラットフォームと、
スライダーグリップアセンブリと、
スイベルノブと
を備え、該スイベルノブは、該水平プラットフォームと該スライダーグリップアセンブリとに動作可能に係合し、前記コンピューターコンポーネントの少なくとも一つの表面と係合するために、該スライダーグリップアセンブリが該水平プラットフォームから外側および内側に調整され得る、請求項４に記載のコンピューターコンポーネント据え付けシステム。
【請求項６】
前記スライダーグリップアセンブリは、グリッピングエッジと動作可能に係合されたスライダープラットフォームを備え、該グリッピングエッジは、該スライダープラットフォームから垂直に突き出し、該コンピューターコンポーネントの表面と係合するために、前記水平プラットフォームに対して外側および内側にスライドする、請求項５に記載のコンピューターコンポーネント据え付けシステム。
【請求項７】
前記スライダーグリップアセンブリは、クランプ板アセンブリをさらに備え、該クランプ板アセンブリは、前記スライダープラットフォームと前記スイベルノブとに動作可能に係合され、その結果、該スイベルノブを第一の方向に回すことが、該クランプ板アセンブリを下げて該コンピューターコンポーネントの隣接した表面に対して取り外し可能に押し付け、同時に、前記グリッピングエッジが該コンピューターコンポーネントの前記表面と取り外し可能に係合するように、該スライダープラットフォームと前記水平プラットフォームとを互いに対して実質的に動かないようにする、請求項６に記載のコンピューターコンポーネント据え付けシステム。
【請求項８】
前記クランプ板アセンブリは、少なくとも一つのエラストノマー層を備え、前記コンピューターコンポーネントの前記隣接した表面に対して取り外し可能に押し付ける、請求項７に記載のコンピューターコンポーネント据え付けシステム。
【請求項９】
前記スライダープラットフォームは、スロットを備え、前記水平プラットフォームは、スロットを備え、前記スイベルノブは、棒と、該棒の第一の端に係合されたノブハンドルとを備え、該棒の第二の端は、該水平プラットフォームの中の該スロットを通って、該スライダープラットフォームの中の該スロットを通って挿入され、そして前記クランプ板アセンブリと係合する、請求項７に記載のコンピューターコンポーネント据え付けシステム。
【請求項１０】
前記棒は、前記スライダープラットフォームの前記スロットおよび前記水平プラットフォームの前記スロットの中で動作可能に係合され、その結果、該棒は、該スライダープラットフォームの該スロットの長さをスライドし、前記水平アセンブリを前記コンピューターコンポーネントの前記第二の寸法に調整し得る、請求項９に記載のコンピューターコンポーネント据え付けシステム。
【請求項１１】
前記据え付け手段は、前記水平アセンブリと係合されたスイベルガイド板を備え、該スイベルガイド板は、表面上の据え付け軌道上に据え付けるように構成されている、請求項５に記載のコンピューターコンポーネント据え付けシステム。
【請求項１２】
前記スイベルガイド板は、スロットを備え、前記スイベルノブの棒は、該スロットを通して挿入され、前記水平アセンブリと係合する、請求項１１に記載のコンピューターコンポーネント据え付けシステム。
【請求項１３】
前記長いねじは、前記水平アセンブリおよび前記垂直アセンブリが一体化したユニットとして動作するように、前記水平プラットフォームと動作可能に係合する、請求項５に記載のコンピューターコンポーネント据え付けシステム。
【請求項１４】
前記長いねじは、前記スイベルノブに近い位置にある前記水平プラットフォームと動作可能に係合する、請求項１３に記載のコンピューターコンポーネント据え付けシステム。
【請求項１５】
前記内側の押出し部は、遠位端を備え、前記外側の押出し部は、遠位端を備え、前記水平アセンブリは、該内側の押出し部の該遠位端に緊密に取り付けられ、前記基部は、該外側の押出し部の該遠位端に緊密に取り付けられた第二の水平アセンブリを備え、前記コンピューターコンポーネントと同じ寸法に水平に調整するように構成され、その結果、該コンピューターコンポーネントは、該水平アセンブリと該垂直アセンブリおよび第二の水平アセンブリによって、それぞれ三つの表面上で係合される、請求項４に記載のコンピューターコンポーネント据え付けシステム。
【請求項１６】
前記据え付け手段は、前記水平アセンブリと係合されたスイベルガイド板を備え、該スイベルガイド板は、表面上の据え付け軌道上に据え付けるように構成されている、請求項１５に記載のコンピューターコンポーネント据え付けシステム。
【請求項１７】
前記据え付け手段は、前記垂直アセンブリと係合されたスイベルガイド板を備え、該スイベルガイド板は、表面上の据え付け軌道上に据え付けるように構成されている、請求項１５に記載のコンピューターコンポーネント据え付けシステム。
【請求項１８】
前記コンピューターコンポーネント据え付けシステム内で前記コンピューターコンポーネントをしっかり留めるロックをさらに備えている、請求項１に記載のコンピューターコンポーネント据え付けシステム。
【請求項１９】
据え付けシステムの中にコンピューターコンポーネントを設置する方法であって、該方法は、
（ａ）スイベルノブをゆるめるステップと、
（ｂ）スライダーグリップアセンブリを該コンピューターコンポーネントの第一の寸法よりも長い寸法へ外側にスライドさせるステップと、
（ｃ）ストッパー手段を解放するステップと、
（ｄ）内側の押出し部を該コンピューターコンポーネントの第二の寸法よりも大きい寸法へ上向きにスライドさせるステップと、
（ｅ）一つの表面を有するコンピューターコンポーネントを基部の上に配置するステップであって、該基部は、該コンピューターコンポーネントを安定させるために外側の押出し部の遠位端と緊密に係合されている、ステップと、
（ｆ）水平プラットフォームが該コンピューターコンポーネントの隣接した表面と係合するまで、該内側の押出し部を該基部に対して下げるステップと、
（ｇ）該ストッパー手段を締めるステップと、
（ｈ）該コンピューターコンポーネントの前方の表面と係合するように、該スライダーグリップアセンブリを内側にスライドさせるステップと、
（ｉ）該据え付けシステム内に該コンピューターコンポーネントをしっかり留めるように該スイベルノブを締めるステップと、
（ｊ）据え付けられたレール上にスイベルガイド板をしっかり留めるステップと
を包含する、方法。
【請求項２０】
前記スイベルノブは、水平プラットフォームおよびスライダーグリップアセンブリと動作可能に係合し、該スイベルノブをゆるめることは、該スライダーグリップアセンブリが該水平プラットフォームから外側にスライドすることを可能にする、請求項１９に記載の方法。
【請求項２１】
前記ストッパー手段は、くさびであって、該くさびは、内側の押出し部と外側の押出し部との間で動作可能に係合される、くさびと、長いねじであって、該長いねじは、該くさびとねじで係合される、長いねじとを備える、請求項１９に記載の方法。
【請求項２２】
前記ストッパー手段は、前記くさびを前記内側の押出し部と前記外側の押出し部との間につかえさせるために、前記長いねじを時計回りに回すことによって締められ得る、請求項１９に記載の方法。
【請求項２３】
スイベルガイド板を前記コンピューターコンポーネントの上で中心に合わせる（ｋ）のステップでをさらに包含し、該スイベルガイド板は、前記水平プラットフォームと動作可能に係合され、据え付けられたレールに沿ってスライドするための一つ以上のフランジを備えている、請求項１９に記載の方法。
【発明の詳細な説明】
【技術分野】
【０００１】
本発明は、調整可能なコンピューターコンポーネント据え付けシステムに関する。
【背景技術】
【０００２】
デスクトップコンピューターは、現在、企業、学校、および家庭においてどこにでもあり、オフィスの仕事、デジタル写真の構成、ビデオ編集およびインターネットアクセスを含む、多様な異なる仕事のために用いられている。ほとんどすべてのデスクトップコンピューターがモジュール式であり、容易に置き換えられ得るか、またはグレードアップされ得るコンポーネントを有する。典型的な構成において、デスクトップコンピューターは、コンピューターシャーシ、キャビネット、タワー、ボックスまたはハウジングとしてもまた公知の、ケースの中に、中央処理装置および他の主なコンポーネントを収容する。コンピューターケースは、他のコンポーネントに対して中心に配置されなければならないが、仕事場内でかさばり得るか、またはじゃまになり得る。したがって、家具デザイナーおよび家具メーカーが、オフィス家具およびオフィスのような家具をこれらのタイプのモジュール式システムへの要求を満たすように構成する場合、コンピューターコンポーネント、特にコンピューターケースは、ますます、仕事場でのじゃまを最小限にすることをも考慮しながら、仕事場の中でコンポーネントへの容易なアクセスを可能にする場所に位置決めされるようになっている。
【０００３】
一つのアプローチは、コンピューターコンポーネントをデスクトップの下側に据え付けるシステムを開発することだった。一つのそのようなシステムにおいて、据え付けブラケットは、コンポーネントを保つデスクの下の位置に固定され得る。このタイプのシステムにおいて、コンポーネントの多くのエリアへのアクセスが制限され得る。据え付けブラケットがデスクトップの下で回転することを可能にされる場合には、回転を可能にするためにさらなるスペースが必要とされ得る。さらには、コンピューターコンポーネントは、しばしばかさばり、重いので、コンポーネントが所定の位置において可能な限りしっかりと、かつ、安全に保たれることが、きわめて重要である。したがって、コンピューターコンポーネントの寸法および重さがメーカーまたは製品ラインごとに変化し得るので、コンポーネントがしっかりと保たれるようなブラケットの位置決めは、多くの調整を必要とし得る。一部のシステムが垂直と水平の調整の両方を利用しているが、典型的なシステムは、調整を実行するためにクランプ板およびねじ式の係合を利用する。大量のコンピューターコンポーネントが短時間内に設置されるか、または取り外されるべき状況において、そのような従来のねじ式のシステムは、正確な調整を得るために多量の労働および時間を必要とする。したがって、デバイスおよび周辺コンポーネントへのアクセスのための回転を可能にし、なおかつ空間が効率的な仕事空間を維持すると同時に、実施するための最少の量のエネルギーと時間としか必要としないコンピューターコンポーネントをデスクトップの下にしっかりと留めるための水平および垂直の調整を実施する、コンピューターコンポーネント据え付けシステムを提供することが所望される。
【発明の概要】
【課題を解決するための手段】
【０００４】
（発明の開示）
一実施形態において、本発明は、コンピューターコンポーネント据え付けシステムを提供し、コンピューターコンポーネントの第一の寸法に垂直に調整する垂直アセンブリであって、垂直アセンブリは、外側の押出し部、内側の押出し部（内側の押出し部は、外側の押出し部の中でスライド可能に係合される）と、内側の押出し部および外側の押出し部を互いに対して実質的に動かないようにするストッパー手段と、コンピューターコンポーネントを安定させる基部（基部は、外側の押出し部の遠位端に緊密に取り付けられる）とを備え、かつ、コンピューターコンポーネント据え付けシステムを表面にしっかりと留める据え付け手段（据え付け手段は、垂直アセンブリに取り付けられる）とを備えている。
【０００５】
別の実施形態において、本発明は、ストッパー手段としてくさび（くさびは、内側の押出し部と外側の押出し部との間で動作可能に係合される）と、長いねじ（長いねじは、第一の端および第二の端を有し、第一の端でくさびとねじで係合される）とを提供し、長いねじが第一の方向に回されると、くさびは上向きに動き、内側の押出し部と外側の押出し部とを互いに対して実質的に動かないように内側の押出し部と外側の押出し部との間につかえ、長いねじが第二の方向に回されると、くさびは下向きに動き、内側の押出し部と外側の押出し部とが互いに対してスライドすることを可能にするようにはずれる。
【０００６】
さらに別の実施形態において、本発明は、長いねじの第二の端に接続されたハンドルをさらに含み、長いねじを回すことを容易にする。
【０００７】
一実施形態において、本発明は、水平アセンブリを含み、水平アセンブリは、コンピューターコンポーネントの第二の寸法に対して水平に適応する。
【０００８】
さらに別の実施形態において、本発明は、水平アセンブリを含み、水平アセンブリは、水平プラットフォーム、スライダーグリップ（ｓｌｉｄｅｒ  ｇｒｉｐ）アセンブリ、およびスイベルノブを備え、スイベルノブは、水平プラットフォームおよびスライダーグリップアセンブリと動作可能に係合し、スライダーグリップアセンブリは、水平プラットフォームから外側および内側に調整されて、コンピューターコンポーネントの少なくとも一つの表面と係合し得る。
【０００９】
別の実施形態において、本発明は、スライダーグリップアセンブリを含み、スライダーグリップアセンブリは、グリッピングエッジと動作可能に係合されたスライダープラットフォームを備え、グリッピングエッジは、スライダープラットフォームから垂直に突き出し、コンピューターコンポーネントの表面と係合するために、水平プラットフォームに対して外側および内側にスライドする。
【００１０】
さらに別の実施形態において、本発明は、スライダーグリップアセンブリを含み、スライダーグリップアセンブリは、クランプ板アセンブリ（クランプ板アセンブリは、スライダープラットフォームおよびスイベルノブと動作可能に係合される）をさらに備え、その結果、スイベルノブを第一の方向に回すことが、クランプ板アセンブリを下げてコンピューターコンポーネントの隣接した表面に対して取り外し可能に押し付け、同時に、グリッピングエッジがコンピューターコンポーネントの表面と取り外し可能に係合するように、スライダープラットフォームと水平プラットフォームとを互いに対して実質的に動かないようにする。
【００１１】
他の実施形態において、本発明は、クランプ板アセンブリを含み、クランプ板アセンブリは、少なくとも一つのエラストノマー層を備え、コンピューターコンポーネントの隣接した表面に対して取り外し可能に押し付ける。
【００１２】
一部の実施形態において、本発明は、スライダープラットフォームを含み、スライダープラットフォームは、スロットを備え、水平プラットフォームは、スロットを備え、スイベルノブは、棒と、棒の第一の端に係合されたノブハンドルとを備え、棒の第二の端は、水平プラットフォームの中のスロットを通って、スライダープラットフォームの中のスロットを通って挿入されて、クランプ板アセンブリと係合する。
【００１３】
さらに他の実施形態において、本発明は、棒を含み、棒は、スライダープラットフォームのスロットおよび水平プラットフォームのスロットの中で動作可能に係合され、その結果、棒は、スライダープラットフォームのスロットの長さをスライドし、水平アセンブリをコンピューターコンポーネントの第二の寸法に調整し得る。
【００１４】
一部の実施形態において、本発明は、据え付け手段を含み、据え付け手段は、水平アセンブリと係合されたスイベルガイド板を備え、スイベルガイド板は、表面上の据え付け軌道上に据え付けるように構成されている。
【００１５】
さらに別の実施形態において、本発明は、スイベルガイド板を含み、スイベルガイド板は、スロットを備え、スイベルノブの棒は、スロットを通して挿入され、水平アセンブリと係合する。
【００１６】
一部の実施形態において、本発明は、長いねじを含み、長いねじは、水平アセンブリおよび垂直アセンブリが一体化したユニットとして動作するように、水平プラットフォームと動作可能に係合する。
【００１７】
一部の実施形態において、本発明は、長いねじを含み、長いねじは、スイベルノブに近い位置にある水平プラットフォームと動作可能に係合する。
【００１８】
他の実施形態において、本発明は、遠位端を備えている内側の押出し部と、遠位端を備えている外側の押出し部と、内側の押出し部の遠位端に緊密に取り付けられた水平アセンブリとを含み、基部は、外側の押出し部の遠位端に緊密に取り付けられた第二の水平アセンブリを備え、コンピューターコンポーネントと同じ寸法に水平に調整するように構成され、その結果、コンピューターコンポーネントは、水平アセンブリ、垂直アセンブリおよび第二の水平アセンブリによって、それぞれ三つの表面上で係合される。
【００１９】
一部の実施形態において、本発明は、据え付け手段を含み、据え付け手段は、水平アセンブリと係合されたスイベルガイド板を備え、スイベルガイド板は、表面上の据え付け軌道上に据え付けるように構成されている。
【００２０】
さらに他の実施形態において、本発明は、据え付け手段を含み、据え付け手段は、垂直アセンブリと係合されたスイベルガイド板を備え、スイベルガイド板は、表面上の据え付け軌道上に据え付けるように構成されている。
【００２１】
一部の実施形態において、本発明は、コンピューターコンポーネント据え付けシステム内でコンピューターコンポーネントをしっかり留めるロックをさらに含んでいる。
【００２２】
さらに別の実施形態において、本発明は、据え付けシステムの中にコンピューターコンポーネントを設置する方法を包含し、方法は、（ａ）スイベルノブをゆるめるステップと、（ｂ）スライダーグリップアセンブリをコンピューターコンポーネントの第一の寸法よりも長い寸法へ外側にスライドさせるステップと、（ｃ）ストッパー手段を解放するステップと、（ｄ）内側の押出し部をコンピューターコンポーネントの第二の寸法よりも大きい寸法へ上向きにスライドさせるステップと、（ｅ）一つの表面を有するコンピューターコンポーネントを基部の上に配置するステップ（基部は、コンピューターコンポーネントを安定させるために外側の押出し部の遠位端と緊密に係合されている）と、（ｆ）水平プラットフォームがコンピューターコンポーネントの隣接した表面と係合するまで、内側の押出し部を基部に対して下げるステップと、（ｇ）ストッパー手段を締めるステップと、（ｈ）コンピューターコンポーネントの前方の表面と係合するように、スライダーグリップアセンブリを内側にスライドさせるステップと、（ｉ）据え付けシステム内にコンピューターコンポーネントをしっかり留めるようにスイベルノブを締めるステップと、（ｊ）据え付けられたレール上にスイベルガイド板をしっかり留めるステップとを包含している。設置の方法の他の実施形態は、スイベルノブを含み得、スイベルノブは、水平プラットフォームおよびスライダーグリップアセンブリと動作可能に係合し、スイベルノブをゆるめることは、スライダーグリップアセンブリが水平プラットフォームから外側にスライドすることを可能にする。コンピューターコンポーネントを設置する方法のさらに他の実施形態は、ストッパー手段を含み得、ストッパー手段は、くさび（くさびは、内側の押出し部と外側の押出し部と長いねじとの間で動作可能に係合される）と、長いねじ（長いねじは、くさびとねじで係合されている）とを備えている。コンピューターコンポーネントを設置する方法の一部の実施形態は、ストッパー手段を含み得、ストッパー手段は、くさびを内側の押出し部と外側の押出し部との間につかえさせるために、長いねじを時計回りに回すことによって締められ得る。コンピューターコンポーネントを設置する方法の別の実施形態は、スイベルガイド板をコンピューターコンポーネントの上で中心に合わせるステップを含み得、スイベルガイド板は、水平プラットフォームと動作可能に係合され、据え付けられたレールに沿ってスライドするための一つ以上のフランジを備えている。
【００２３】
本発明の上記説明は、各図示された実施形態または本発明のあらゆる可能な実施形態を説明するようには意図されていない。しかしながら、以下の図面および詳細な説明は、これらの実施形態を詳しく例示している。
【図面の簡単な説明】
【００２４】
以下の多様な実施形態の詳細な説明を考慮して、本発明は、以下の図面との関連においてより完全に理解され得る。
【図１】図１は、本発明の実施形態の透視図である。
【図２】図２は、本発明の実施形態の分解組立図である。
【図３】図３は、本発明の実施形態の上面図である。
【図４】図４は、本発明の実施形態の底面図である。
【図５Ａ】図５（ａ）は、本発明の垂直アセンブリの実施形態の断面図である。
【図５Ｂ】図５（ｂ）は、本発明の内側の押出し部および外側の押出し部の実施形態の断面図である。
【図５Ｃ】図５（ｃ）は、本発明の垂直アセンブリの実施形態の分解組立図である。
【図６Ａ】図６（ａ）は、本発明の水平プラットフォームの実施形態の底面図である。
【図６Ｂ】図６（ｂ）は、本発明のスライダーグリップアセンブリの実施形態の透視図である。
【図６Ｃ】図６（ｃ）は、本発明のスライダーグリップアセンブリの実施形態の透視図である。
【図７】図７は、本発明の実施形態の正面図である。
【図８】図８は、本発明の実施形態の断面図である。
【図９Ａ】図９（ａ）は、動作中の本発明の実施形態の透視図である。
【図９Ｂ】図９（ｂ）は、動作中の本発明の実施形態の透視図である。
【発明を実施するための形態】
【００２５】
本発明は多様な修正および代替形態に従うが、それらの詳細特性は、図面における例として示され、詳細に説明される。しかしながら、意図は本発明を説明された特定の実施形態に限定することではないことが、理解されるべきである。その反対に、意図は、添付の特許請求の範囲によって規定された本発明の精神および範囲内に収まるすべての修正、均等物、および代替をカバーすることである。
【００２６】
（Ｖ．発明を実施するための最適モード）
本発明は、概して、据え付け構造を含む水平アセンブリ、および垂直アセンブリを備えているコンピューターコンポーネント据え付けシステムに関する。本明細書において用いられているように、「コンピューターコンポーネント」という用語は、中央処理装置、モニター、スピーカー、ドッキングステーション、ラップトップ、ステレオレシーバー、シンプルな容器などを収納するケース、キャビネット、シャーシ、タワー、ボックスまたはホルダーを含む、ユーザーの仕事場の中で用いられる任意の一般的に長方形のコンポーネントを意味する。「デスク」という用語は、本明細書でコンピューターコンポーネントが据え付けられ得る表面を説明するために用いられ得るが、本発明のコンピューターコンポーネント据え付けシステムは、任意の据え付け品、家具または建築部材に据え付けられ得ることが認識されるべきである。最後に、「水平の」という用語は、本明細書で水平の意味、または水平に関すること、またはほぼ水平に置かれていることを意味するように用いられ、「垂直な」は、本明細書で水平の面に対して垂直であることを意味するように用いられ得るが、これらの用語は、水平線に関するものではなく、全体を通して空間内の互いに垂直な任意の二つの平面を表すように、理解され得る。
【００２７】
本発明の実施形態は、概して図１に図示される。コンピューターコンポーネント据え付けシステムが、水平アセンブリ１００および垂直アセンブリ２００を含む。水平アセンブリ１００は、水平プラットフォーム１０７、スイベルノブアセンブリ１５２、スライダーグリップアセンブリ１５１、クランプ板アセンブリ１６８、および据え付け構造物１５０を含む。図２の実施形態においてより良く示されているように、水平プラットフォーム１０７は、実質的に長方形の部分１５９および長方形部分１５９から下がる対向し合う側面１６０を備えている。長方形部分１５９は、細長いスロット１０８を含み、細長いスロット１０８は、スロット１０８がその端１５３、１５４の間のスライド動作においてねじ、棒または（スイベル座金１０３を含む）他の円筒状の品物を受け入れ得るように、好ましくは約７４ミリメーター（７４ｍｍ）の長さと、好ましくは約１３．５ミリメーター（１３．５ｍｍ）の幅とを有し、好ましくは水平プラットフォーム１０７の中心線に沿って長手方向に延びる。スロットの長さは、約１５ミリメーター（１５ｍｍ）から約１００ミリメーター（１００ｍｍ）の範囲に及ぶ。スロットの長さが短ければ短いほど、水平方向において達成され得る調整は少なくなる。スロットの長さが最大値に近づくときには、水平プラットフォーム１０７の安定性がいくらか失われ、スイベル座金１０３がより大きくなり得る。水平プラットフォーム１０７は、ハンドル１２５の保管用の後方の凹部１５６、および穴１０９をさらに含む。図３に示されるように、ねじ１１０は、以下に説明されるように、垂直アセンブリ２００への水平プラットフォーム１０７の取り付けのために穴１０９と動作可能に係合する。一部の実施形態において、図２に示されるように、水平プラットフォーム１０７はまた、強化板１２６、少なくとも二つの強化板穴１２８、および少なくとも二つの強化板ねじ１２７を含み得る。ねじ１２７は、水平プラットフォーム１０７への交換板１２６の取り付けのための穴１２８と動作可能に係合する。
【００２８】
図６（ａ）に示される実施形態を参照すると、水平プラットフォーム１０７は、プラットフォーム１０７の成形を容易にし得、十分な構造強度を提供し得る複数の内部リブ（ｒｉｂ）１５８を含み得る。図１の実施形態において最も良く示されているように、水平プラットフォーム１０７の底面は、水平アセンブリ１００をコンピューターコンポーネントの寸法に調整するために、スライダーグリップアセンブリ１５１を受け入れる。
【００２９】
ここで図６（ｂ）に示される実施形態を参照すると、スライダーグリップアセンブリ１５１は、スライダープラットフォーム１１４およびグリッピングプラットフォーム１１５を含む。スライダープラットフォーム１１４は、細長いスロット１１６、二つの対向し合う高くされたエッジ１６４および正面リップ１６５を有する、実質的に長方形の部分１６１を備えている。スロット１１６は、スロット１１６がその端１６２、１６３の間のスライド動作においてねじ、棒または（壁のある穴１２２を含む）他の円筒状の品物を受け入れ得るように、好ましくは約７１．５ミリメーター（７１．５ｍｍ）の長さと、好ましくは約１０ミリメーター（１０ｍｍ）の幅とを有し、好ましくは水平プラットフォーム１１４の中心線に沿って長手方向に延びる。対向し合う高くされたエッジ１６４は、水平プラットフォーム１０７の底面１５７を動作可能に係合するための複数の隆起部１３１を含む。対向し合うエッジ１６４はまた、グリッピングプラットフォーム１１５と係合するための長手方向のスロット１３２を含む。グリッピングプラットフォーム１１５は、細長い開いたスロット１１７と、スライダープラットフォーム１１４のスロット１３２を動作可能に係合するための高くされ曲げられたエッジ１７９を有する、長手方向のスロット１７２とを含む。開いたスロット１１７は、スロット１１７がその端１６６とプラットフォーム１１５の後方のエッジとの間のスライド動作においてねじまたは棒を受け入れ得るように、好ましくは約５９ミリメーター（５９ｍｍ）の長さと、好ましくは約１４ミリメーター（１４ｍｍ）の幅とを有し、好ましくは水平プラットフォーム１１５の中心線に沿って後方に延びる。グリッピングプラットフォーム１１５の前方側は、下がってグリッピングエッジ１２４を形成する。グリッピングエッジ１２４は、水平アセンブリ１００のスライダーグリップアセンブリ１５１をコンピューターコンポーネントの寸法に調整するために、好ましくはユーザーが片手を用いてグリッピングエッジ１２４をつかむことを可能にするような形状にされる。スライダーグリップアセンブリ１５１を組み立てるために、グリッピングプラットフォーム１１５およびスライダープラットフォーム１１４は、エッジ１７９をスロット１３２の中にパチンとはめることによって、互いにぴったり合うようにされ得る（図３に組み立てられた図が示されている）。
【００３０】
図２に示される実施形態を再び参照すると、クランプ板アセンブリ１６８は、上部スライダー板１２０および基部スライダー板１２１を備え、上部スライダー板１２０および基部スライダー板１２１は、それらが調和して動作し得るように互いにぴったり合う、同様な均整になっている。上部スライダー板１２０は、ねじ式の壁のある穴１２２を含む。ねじ式の壁のある穴１２２は、スライダープラットフォーム１１４のスロット１１６の中で、およびグリッピングプラットフォーム１１５のスロット１１７の中でスライドするように構成され、スイベルノブ棒１０２とねじ山１７０を動作可能に係合する。基部スライダー板１２１は、穴１７４を有する凹部１６７を含み、穴１７４を有する凹部１６７は、スイベルノブ棒１０２を係合するように構成される。クランプ板アセンブリ１６８は、発泡体層１６９をさらに含み、発泡体層１６９は、クランプ板アセンブリ１６８がその表面に圧縮されるときにコンピューターコンポーネントが保護され得、衝撃をやわらげられ得るように、基部スライダー板１２１の底面に取り付けられ得る。コンピューターコンポーネントを据え付けシステムから保護し得る当分野において公知の、任意のタイプのエラストマーまたはゴムのような物質は、商業的に利用可能なポリウレタン発泡体を含めて、発泡体層１６９に対して用いられ得る。クランプ板アセンブリ１６８は、上部スライダー板１２０の壁のある穴１２２（壁部分が上向きである）と、凹部１６７が基部スライダー板１２１の底面１７３まで凹型になっている基部スライダー板１２１の穴１７２とを位置合わせすることによって、組み立てられ得る。この方法で、上部スライダー板１２０は、基部スライダー板１２１の中に収まる。発泡体層１６９は、以下に説明されるように、当分野において公知の任意の手段によって、基部スライダー板１２１の底面１７３に取り付けられ得る。水平アセンブリ１００とともに組み立てられるクランプ板アセンブリ１６８の実施形態は、図８に示されている。
【００３１】
図７および図８に示される実施形態を参照すると、スイベルノブアセンブリ１５２は、スイベルノブ１０１、スイベルノブ棒１０２およびスイベル座金１０３を含む。スイベルノブ１０１は、好ましくはユーザーによってつかまれ、回されるように構成され、当分野において公知の任意の方法でスイベルノブ棒１０２に緊密に取り付けられる。スイベルノブ棒１０２は、当分野において周知のように、ｅ型保持リングまたは他の保持コンポーネントにパチンと合うように構成された端１７１を有する長い円筒形の棒であり、上部スライダー板１２０のねじ式の壁のある穴１２２との係合のためのねじ山１７０を含む。スイベル座金１０３は、スイベルノブ棒１０２を動作可能に係合するように構成され、水平プラットフォーム１０７のスロット１０８および据え付け構造１５０の座金１０６を動作可能に係合するように構成された、延びた長手方向部分１７５を含み得る。
【００３２】
図７および図８に示される実施形態をさらに参照すると、据え付け構造１５０は、スイベルガイド板１０４、スイベルガイド板オーバーモールド（ｏｖｅｒｍｏｌｄ）１０５および座金１０６を含む。スイベルガイド板１０４は、当分野において周知のように、商業的に利用可能な据え付けブラケットまたは据え付け軌道と動作可能に係合するように構成され得る。スイベルガイド板１０４は、実質的に平坦な板１７４から上がる二つの羽根１７７、１７８を備えている。スイベルガイド板１０４はまた、スイベルノブ座金１０３の長手方向部分１７５と動作可能に係合するように構成された穴１７９を含む。打ち抜き冷間圧延鋼、粉体塗装したオーバーモールド、およびアセタールコポリマーオーバーモールドを含む、好ましくは金属とプラスチックとから構築された、スイベルガイド板オーバーモールド１０５は、据え付け構造１５０が取り付けられるべき表面を保護するように羽根１７７、１７８のエッジをおおう。座金１０６はまた、スイベルノブ座金１０３の長手方向部分１７５と操作可能に係合するように構成される。
【００３３】
図７および図８に示される実施形態を参照すると、水平アセンブリ１００を組み立てるために、スイベルノブ棒１０２がスイベル座金１０３に挿入される。次いで、スイベル座金１０３の長手方向部分１７９が、スイベルガイド板１０４の穴１７９を通り、座金１０６を通り、水平プラットフォーム１０７のスロット１０８を通して挿入される。次いで、上部スライダー板１２０の壁のある穴１２２は、スライダーグリップアセンブリ１５１のスロット１１７およびスロット１１６を通して上方に挿入される。スイベルノブ棒１０２は、ねじ山１７０を有するねじ式の壁のある穴１２２と動作可能に係合する。次いで、スイベルノブ棒１０２の端１７１は、基部スライダー板の穴１７４を通して挿入されて、ｅ型保持リング１２３、または任意の他のタイプのスナップリングもしくは保持コンポーネントと固定的に係合する。発泡体層１６９は、基部スライダー板１２１からのコンピューターコンポーネントと、スイベルノブ棒１０２の端１７１と、ｅ型保持リング１２３とを保護するために、接着剤、ピンなどを含む当分野において公知の任意の方法で、基部スライダー板１２１の底面に取り付けられる。ユーザーがスイベルノブ１０１を時計回りに回すとき、スイベルノブ棒１０２は、発泡体層１６９がコンピューターコンポーネントの表面と係合するまで、クランプ板アセンブリ１６８を下げ、基部スライダー板１２１を下げ、上部スライダー板を上げてスライダーグリップアセンブリ１５１を締める。同様に、ユーザーがスイベルノブ１０１を反時計回りに回すとき、スイベルノブ棒１０２は、コンピューターコンポーネントの表面からクランプ板アセンブリ１６８を上げ、スライダーグリップアセンブリ１５１と、水平プラットフォーム１０７と、クランプ板アセンブリ１６８との間の接続をゆるめる。次いで、グリッピングエッジ１２４は、前後にスライドすることによって、グリッピングエッジ１２４と垂直アセンブリ２００との間の水平距離を調整するために用いられ得る。スイベルノブ１０１、スイベルノブ棒１０２、スイベルノブ座金１０３、上部スライダー板１２０および基部スライダー板１２１は、水平プラットフォームのスロット１０８と、スライダーグリップアセンブリ１５１のスロット１１６、１１７との中に閉じ込められて、調和して横方向に動き得る。組み立てられるとき、据え付け構造１５０は、スイベル座金１０３の長手方向部分１７５の周りを３６０度旋回し得る。
【００３４】
ここで図２に示される実施形態を参照すると、垂直アセンブリ２００は、長いねじ１１３、ハンドルアセンブリ２１８、内側の押出し部２０１、内側の押出し部キャップ２０５、内側の押出し部スリーブ２０２、外側の押出し部２０３、ストッパーアセンブリ２１９および基部アセンブリ３００を含む。ハンドルアセンブリ２１８は、ハンドル基部１１１、ハンドル１２５、ハンドル座金１３０、ハンドルピン１１２、および長いねじ座金１２９を備えている。ハンドル基部１１１は、好ましくは長手方向部分２２１を有するＴ字状であり、長手方向部分２２１は、水平プラットフォーム１０７の穴１７６を通して挿入される。ハンドル基部１１１は、ハンドルピン１１２のための横方向の穴と、長いねじ１１３のための長手方向の穴２２２とを含む。長いねじ１１３は、好ましくは、以下に説明されるように、当分野において公知の任意の手段によってハンドル基部１１１に固定的に取り付けられた上部端２２３を有し、かつ、ストッパーアセンブリ２１９に固定的に取り付けられた底部端２２４を有し、５０ミリメーター（５０ｍｍ）のねじ山部を有して、長さが約３００ミリメーター（３００ｍｍ）である。長いねじ１１３は、座金１２９と、ｅ型保持リング２１４と、ストッパーアセンブリ２１９とに動作可能に係合するねじ山２２５を含む。長いねじ１１３は、長いねじ１１３の上部分を通してハンドルピン１１２を垂直に挿入するための上部端２２３に近い、小さな穴２２４をさらに含む。ハンドル１２５は、好ましくは、片手を用いるユーザーによってつかまれ、引っ張られ、回されるように構成されたループ型ハンドルである。ハンドル座金１３０は、水平プラットフォーム１０７と動作可能に係合してハンドル基部１１１を支持する。ハンドルピン１１２は、ハンドル１２５をハンドル基部１１１に取り付け、長いねじ１１３を通して挿入され、長いねじ１１３は、ハンドル１２５がピン１１２の周りを回転し、垂直な位置にあるときには長いねじ１１３を時計回りまたは反時計回りに回すことを可能にする。長いねじの座金１２９とｅ型保持リング２１５とは、内側の押出し部２０１と動作可能に係合して、長いねじ１１３とハンドル基部１１１とを支持する。ハンドルアセンブリ２１８と垂直アセンブリの上側部分とは、図５（ｃ）の分解組立図と図８の断面図とにおいて最も良く示されている。組み立てられるとき、図９（ａ）において最も良く示されているように、ハンドル１２５は、ユーザーが本発明を用いてコンピューターコンポーネントを設置するのにかかる時間が、従来の設置の方法に比べて低減されるように、そして、ユーザーが本発明の垂直と水平との寸法を迅速かつ効率的に調整し得るように、スイベルノブ１０１の近くに配置される。
【００３５】
内側の押出し部２０１は、好ましくは、アルミニウム、またはプラスチックのような金属から押出され得るが、当分野において公知の任意の方法によって鋳造または形成され得る。内側の押出し部は、好ましくは、長さが約２７０ミリメーター（２７０ｍｍ）、幅が約２２ミリメーター（２２ｍｍ）、奥行きが約１０５ミリメーター（１０５ｍｍ）である。これらの寸法は例としてのみ提供されるのであり、本発明は同じ機能を達成するために異なる寸法で製造され得ることが、当業者によって理解されるべきである。一部の実施形態において、内側の押出し部２０１は、図５（ｂ）において示される断面図を用いて作られ得る。内側の押出し部２０１は、ねじ１１０、２０８の取り付けのための穴２１３と、外側の押出し部２０３の中での位置合わせのための穴２１７とを含む。好ましくは、二つの穴２１３は、内側の押出し部２０１の長さに連続的にわたり、（図３に示されるような）ねじ１１０、（図５（ｂ）に示されるような）ねじ２０８を受容して、それらとの動作可能な係合のために、両端にねじ山を提供する。この方法で、内側の押出し部２０１は、（図８に示されるような）穴２１３を有するねじ１１０の動作可能な係合によって水平プラットフォーム１０７に固定的に取り付けられ得、内側の押出し部２０１は、（図５（ａ）に示されるような）穴２１３を有するねじ２０８の動作可能な係合によって内側の押出し部キャップ２０５に固定的に取り付けられ得る。好ましくは、穴２１７はまた、組み立てられるとき、外側の押出し部２０３による動作可能な係合のために、内側の押出し部２０１の長さに連続的にわたる。図５（ａ）に示される実施形態に示されるように、内側の押出し部キャップ２０５は、内側の押出し部２０１の底面を支え、その結果、内側の押出し部２０１が外側の押出し部２０３から完全に延びるとき、内側の押出し部キャップ２０５が押出し部スリーブ２０２によって保持される。内側の押出し部キャップ２０５は、好ましくはプラスチックで作られ得、好ましくは、組み立てられるときに長いねじ１１３の底部端２２４の挿入のための穴２２８と、内側の押出し部２０１のスロット２１３と動作可能に係合するねじ２０８のための穴２１０とを含む。
【００３６】
外側の押出し部２０３は、好ましくは、アルミニウム、またはプラスチックのような金属から押出され得るが、当分野において公知の任意の方法によって鋳造または形成され得る。外側の押出し部２０３は、好ましくは、長さが約３００ミリメーター（３００ｍｍ）、幅が約３０ミリメーター（３０ｍｍ）、奥行きが約１１５ミリメーター（１１５ｍｍ）であり、ストッパーアセンブリ２１９が内側の押出し部２０１と外側の押出し部２０３とを動作中に効果的に動かなくするように、内側の押出し部に向かって内側にわずかに先細になっている。これらの寸法は例としてのみ提供されるのであり、本発明は同じ機能を達成するために異なる寸法で製造され得ることが、当業者によって理解されるべきである。一部の実施形態において、外側の押出し部２０３は、図５（ａ）および図５（ｂ）において示される断面輪郭を用いて作られ得る。外側の押出し部２０３は、（図２に示されるような）ねじ２１１、（図４に示されるような）ねじ３０２の取り付けのための穴２２６を含む。好ましくは、二つの穴２２６は、外側の押出し部２０３の長さに連続的にわたり、ねじ２１１（図２を参照）、ねじ３０２（図４を参照）を受容して、それらによる動作可能な係合となるように、両端にねじ山を提供する。この方法で、外側の押出し部２０３は、ねじ２１１と穴２２６との動作可能な係合によって、押出し部スリーブ２０２に固定的に取り付けられ得る。穴２２６は、図５（ｂ）に示されるように、組み立てられるとき、内側の押出し部２０１と動作可能に係合するように、内側の押出し部２０１の穴２１７とさらに位置合わせする。外側の押出し部２０３はまた、（図４に示されるような）ねじ３０２の穴２２６との動作可能な係合によって、基部キャップ３０１に固定的に取り付けられ得る。ここで図２に示される実施形態を参照すると、押出し部スリーブ２０２は、外側の押出し部２０３の上部面をおおい、その結果、内側の押出し部２０１が外側の押出し部２０３から完全に延びるとき、内側の押出し部キャップ２０５が押出し部スリーブ２０２によって保持される。押出し部スリーブ２０２は、好ましくはプラスチックで作られ得、ねじ２１１との動作可能な係合による外側の押出し部２０３の取り付けのための穴２２９を含む。
【００３７】
ここで図８に示される実施形態を参照すると、ストッパーアセンブリ２１９は、ストッパーくさび２０６、ストッパーくさびインサート２１６、およびｅ型保持リング２１４を含む。ストッパーくさび２０６は、長いねじ１１３がハンドル１２５によって時計回りに回される場合、内側の押出し部２０１と外側の押出し部２０３との間で上向きにくさびで留めるような形状である。ストッパーくさび２０６は、好ましくはプラスチックまたはエラストノマー（すなわち、発泡体）から作られ得、好ましくは約３０度の傾斜と約３８ミリメーター（３８ｍｍ）の高さとを有する、内側の押出し部２０１の底の部分にフィットするように大きさが設定されている。ストッパーくさび２０６は、長いねじ１１３との動作可能な係合のためのストッパーくさびインサート２１６を含む。ストッパーくさびインサート２１６は、ねじ式の穴２２７を含む。長いねじ１１３は、内側の押出し部２０１の長さにわたり、ストッパーくさび２０６を通って挿入され、ストッパーくさびインサート２１６を通って進み、内側の押出し部キャップ２０５の穴２２８を通って挿入され、ｅ型保持リング２１４によって保持される。
【００３８】
図２に示される実施形態を再び参照すると、基部アセンブリ３００は、基部キャップ３０１と発泡体基部３０４とを備えている。基部キャップ３０１は、複数の内部リブ３０６を含み得、複数の内部リブ３０６は、基部キャップ３０１の成形を容易にし得、十分な構造強度を提供し得る。基部キャップ３０１は、スロット３０３を含む。基部キャップ３０１は、スロット３０３を通り（図４に示されるような）外側の押出し部２０３の穴２２６と嵌め合うねじ３０２の動作可能な係合によって、外側の押出し部２０３に固定的に取り付けられ得る。図２を参照すると、発泡体基部３０４の底面は、内部リブ３０６を受け入れ得、接着剤、ピンなどを含む当分野において公知の任意の手段によって取り付けられ得る。商業的に利用可能な熱可塑性ゴムが発泡体基部３０４に用いられ得るが、コンピューターコンポーネントを据え付けシステムから保護し得る、当分野において公知の任意のタイプのエラストマーまたはゴムのような物質が用いられ得る。
【００３９】
ここで図２に示される実施形態を参照すると、垂直アセンブリ２０１を組み立てるために、押出し部スリーブ２０２は、押出し部スリーブ２０２の穴２２９を通り外側の押出し部２０３の穴２２６と嵌め合うねじ２１１の動作可能な係合によって、外側の押出し部２０３の上部に固定的に取り付けられ得る。次いで、内側の押出し部２０１は、適切な位置合わせのための穴２１７、２１２を用いて、外側の押出し部２０３の中にスライドされ得る。いったんスライド可能に挿入されると、内側の押出し部キャップ２０５は、内側の押出し部キャップ２０５のスロット２１０を通し、内側の押出し部２０１の穴２１３と動作可能に係合するねじ２０８を挿入することによって、内側の押出し部２０１の底面に固定的に取り付けられ得る。次いで、内側の押出し部２０１の上部は、水平プラットフォーム１０７のスロット１０９を通してねじ１１０を挿入することによって、内側の押出し部２０１の穴２１３との動作可能に係合する水平アセンブリ２００に固定的に取り付けられ得る。次いで、ハンドルアセンブリ２１８と長いねじ１１３とは、水平プラットフォーム１０７の穴１７６を通して挿入され得る。長いねじ１１３は、内側の押出し部２０１の長さにわたり、ストッパーくさび２０６を通って挿入され、ストッパーくさびインサート２１６を通って進み、内側の押出し部キャップ２０５の穴２２８を通って挿入され、ｅ型保持リング２１４によって保持される。次いで、基部アセンブリ３００は、スロット３０３を通して外側の押出し部２０３の穴２２６と嵌め合うねじ３０２の動作可能な係合によって、外側の押出し部２０３に固定的に取り付けられ得る。
【００４０】
いったん完全に組み立てられると、本明細書において説明されるコンピューターコンポーネント据え付けシステムは、コンピューターコンポーネントを表面にしっかり留めるためのシンプルかつ効率的な装置を提供する。動作中に、ユーザーは、スイベルノブ１０１を反時計回りに回して水平アセンブリ１００をゆるめる。次いで、ユーザーは、グリッピングエッジ１２４をつかみ得、据え付けられるべきコンピューターコンポーネントの水平寸法よりも大きな幅にまで前方に引っ張り得る。次いで、ハンドル１２５は、へこみハンドル部分１５６から上向きに回転され得、ストッパーくさびインサート２１６のねじ式の穴２２７から長いねじ１１３をゆるめために、反時計回りに回され得る。この動作を通して、ストッパーくさび２０６は、外側の押出し部２０３から収縮し、そのことは、外側の押出し部２０３に対する内側の押出し部２０１の軸方向の移動を可能にする。次いで、ユーザーは、水平アセンブリ１００が据え付けられるべきコンピューターコンポーネントの垂直寸法よりも大きな高さで静止するように、内側の押出し部２０１を延ばすようにハンドル１２５を上向きに引っ張り得る。次いで、ユーザーは、垂直アセンブリ２００と位置合わせされた垂直の寸法を有する発泡体基部３０４上に、コンピューターコンポーネントを配置し得る。ユーザーは、ハンドル１２５をつかんで、クランプ板アセンブリ１６８の発泡体層１６９がコンピューターコンポーネントの上部表面と係合するまで、内側の押出し部２０１を下げるため下向きに押し得る。次いで、ユーザーは、ハンドル１２５を時計回りに回して、ストッパーくさびインサート２１６のねじ式の穴２２７に長いねじ１１３を締め、そのことは、内側の押出し部２０１とストッパーくさび１０６とを外側の押出し部２０３と接触するように横にシフトさせ、内側の押出し部２０１と外側の押出し部２０３とを互いに対して動かないようにする。いったん、垂直アセンブリがこの方法でセットされると、次いで、ユーザーは、グリッピングエッジ１２４がコンピューターコンポーネントの側部表面と係合するまで、コンピューターコンポーネントのほうにグリッピングエッジ１２４をスライドし得る。次いで、ユーザーは、スイベルノブ１０１を時計回りに回して、発泡体層１６９がコンピューターコンポーネントの上部に押し付けられるように、クランプ板アセンブリ１６８を締める。
【００４１】
上記のように、ハンドル１２５は、スイベルノブ１０１のすぐ近くに配置され、その結果、コンピューターコンポーネント１０の前方の表面に対してスライダーグリップアセンブリ１５１を係合させ、コンピューターコンポーネント１０の隣接した表面に対してクランプ板アセンブリ１４８を係合させ（両方ともにスイベルノブ１０１を回すことによって行われる）、内側の押出し部１０１と外側の押出し部１０３との中でストッパーくさび２０６の位置を調整するように長いねじ１１３を回し、内側の押出し部１０１と外側の押出し部１０３とを互いに対して実質的に動かないようにするために、ユーザーによって使われる時間が低減され得る。
【００４２】
図９（ａ）（水平アセンブリ１００と垂直アセンブリ２００とがはずされた状態）と、図９（ｂ）（水平アセンブリ１００と垂直アセンブリ２００とが締められた状態）とに示されるように、コンピューターコンポーネント１０は、据え付けシステムによって確実に取り囲まれる。システムをデスクの下側、または任意の他の適切な表面に据え付けるために、据え付け構造１５０の羽根１７７、１７８は、当分野において公知のように、二本のレールを敷かれた軌道またはブラケットの上に位置決めされ得る。いったんこの方法で据え付けられると、本発明のコンピューターコンポーネント据え付けシステムは、スイベルガイド板１０４のおかげでスイベルノブ１０１の周りを３６０度旋回するように構成される。スイベルガイド板の羽根１７７、１７８は、表面上に据え付けられた軌道の中を通して挿入され得る。言い換えれば、スイベルガイド板１０４は、当分野において公知の任意の方法で表面に直接据え付けられるように構成され得る。
【００４３】
一部の実施形態において、そのようなコンピューターコンポーネント据え付けシステムのユーザーは、そのようなコンポーネントの費用に起因して、コンピューターコンポーネントの設置をロックすることを所望し得る。鍵によるのであれ、セキュリティコードによるのであれ、または他の方法によるのであれ、ロックする機構は、当分野において周知であり、コンピューターコンポーネントが権限のある人員によってのみロックを外され得るように、据え付け構造１５０、ハンドルアセンブリ２１８、クランプ板アセンブリ１６８またはスイベルノブアセンブリ１５２の中に容易に一体化され得る。
【００４４】
上記説明は、本発明のいくつかの実施形態を開示する。本発明への多くの修正は、すでに説明された修正を超えて行われ得る。当業者は、基本的な本発明の概念から逸脱することなく多くの変形、修正が行われるか、またはオプションの特徴が作られ得ることを認識する。例えば、いくつかのコンポーネントに対して寸法が提供されるが、寸法は説明的な目的のみのために含まれ得、いかなる点でも特許請求の範囲または本発明の範囲を限定するものでないことが理解されるべきである。すべてのそのような変形、修正、および／またはオプションの特徴は、以下の特許請求の範囲内に収まるように意図されている。
【図１】
2010522373.tif 000003
【図２】
2010522373.tif 000004
【図３】
2010522373.tif 000005
【図４】
2010522373.tif 000006
【図５Ａ】
2010522373.tif 000007
【図５Ｂ】
2010522373.tif 000008
【図５Ｃ】
2010522373.tif 000009
【図６Ａ】
2010522373.tif 000010
【図６Ｂ】
2010522373.tif 000011
【図６Ｃ】
2010522373.tif 000012
【図７】
2010522373.tif 000013
【図８】
2010522373.tif 000014
【図９Ａ】
2010522373.tif 000015
【図９Ｂ】
2010522373.tif 000016
【手続補正書】
【提出日】平成21年11月18日(2009.11.18)
【手続補正１】
【補正対象書類名】明細書
【補正対象項目名】００２３
【補正方法】変更
【補正の内容】
【００２３】
本発明の上記説明は、各図示された実施形態または本発明のあらゆる可能な実施形態を説明するようには意図されていない。しかしながら、以下の図面および詳細な説明は、これらの実施形態を詳しく例示している。
（項目１）
コンピューターコンポーネント据え付けシステムであって、該コンピューターコンポーネント据え付けシステムは、
コンピューターコンポーネントの第一の寸法に対して垂直に適応する垂直アセンブリであって、該垂直アセンブリは、
外側の押出し部、内側の押出し部を備え、該内側の押出し部は、該外側の押出し部の中でスライド可能に係合される、外側の押出し部、内側の押出し部と、
該内側の押出し部と該外側の押出し部とを互いに対して実質的に動かないようにするストッパー手段と、
該コンピューターコンポーネントを安定させる基部であって、該基部は、該外側の押出し部の遠位端に緊密に取り付けられる、基部と
を備えている、垂直アセンブリを備え、かつ
該コンピューターコンポーネント据え付けシステムは、
該コンピューターコンポーネント据え付けシステムを表面にしっかり留める据え付け手段であって、該据え付け手段は、該垂直アセンブリに取り付けられる、据え付け手段と
を備えている、コンピューターコンポーネント据え付けシステム。
（項目２）
前記ストッパー手段は、
くさびであって、該くさびは、前記内側の押出し部と前記外側の押出し部との間で動作可能に係合される、くさびと、
長いねじであって、該長いねじは、第一の端および第二の端を有し、該第一の端で該くさびとねじで係合される、長いねじと
を備え、該長いねじが第一の方向に回されると、該くさびは上向きに動き、該内側の押出し部と該外側の押出し部とを互いに対して実質的に動かさないように、該内側の押出し部と該外側の押出し部との間につかえ、かつ、該長いねじが第二の方向に回されると、該くさびは下向きに動き、該内側の押出し部と該外側の押出し部とが互いに対してスライドすることを可能にするようにはずれる、項目１に記載のコンピューターコンポーネント据え付けシステム。
（項目３）
前記長いねじは、該長いねじを回すことを容易にするように、該長いねじの前記第二の端に接続されたハンドルをさらに備えている、項目２に記載のコンピューターコンポーネント据え付けシステム。
（項目４）
前記コンピューターコンポーネントの第二の寸法に対して水平に適応する水平アセンブリをさらに備えている、項目２に記載のコンピューターコンポーネント据え付けシステム。
（項目５）
前記水平アセンブリは、
水平プラットフォームと、
スライダーグリップアセンブリと、
スイベルノブと
を備え、該スイベルノブは、該水平プラットフォームと該スライダーグリップアセンブリとに動作可能に係合し、前記コンピューターコンポーネントの少なくとも一つの表面と係合するために、該スライダーグリップアセンブリが該水平プラットフォームから外側および内側に調整され得る、項目４に記載のコンピューターコンポーネント据え付けシステム。
（項目６）
前記スライダーグリップアセンブリは、グリッピングエッジと動作可能に係合されたスライダープラットフォームを備え、該グリッピングエッジは、該スライダープラットフォームから垂直に突き出し、該コンピューターコンポーネントの表面と係合するために、前記水平プラットフォームに対して外側および内側にスライドする、項目５に記載のコンピューターコンポーネント据え付けシステム。
（項目７）
前記スライダーグリップアセンブリは、クランプ板アセンブリをさらに備え、該クランプ板アセンブリは、前記スライダープラットフォームと前記スイベルノブとに動作可能に係合され、その結果、該スイベルノブを第一の方向に回すことが、該クランプ板アセンブリを下げて該コンピューターコンポーネントの隣接した表面に対して取り外し可能に押し付け、同時に、前記グリッピングエッジが該コンピューターコンポーネントの前記表面と取り外し可能に係合するように、該スライダープラットフォームと前記水平プラットフォームとを互いに対して実質的に動かないようにする、項目６に記載のコンピューターコンポーネント据え付けシステム。
（項目８）
前記クランプ板アセンブリは、少なくとも一つのエラストノマー層を備え、前記コンピューターコンポーネントの前記隣接した表面に対して取り外し可能に押し付ける、項目７に記載のコンピューターコンポーネント据え付けシステム。
（項目９）
前記スライダープラットフォームは、スロットを備え、前記水平プラットフォームは、スロットを備え、前記スイベルノブは、棒と、該棒の第一の端に係合されたノブハンドルとを備え、該棒の第二の端は、該水平プラットフォームの中の該スロットを通って、該スライダープラットフォームの中の該スロットを通って挿入され、そして前記クランプ板アセンブリと係合する、項目７に記載のコンピューターコンポーネント据え付けシステム。
（項目１０）
前記棒は、前記スライダープラットフォームの前記スロットおよび前記水平プラットフォームの前記スロットの中で動作可能に係合され、その結果、該棒は、該スライダープラットフォームの該スロットの長さをスライドし、前記水平アセンブリを前記コンピューターコンポーネントの前記第二の寸法に調整し得る、項目９に記載のコンピューターコンポーネント据え付けシステム。
（項目１１）
前記据え付け手段は、前記水平アセンブリと係合されたスイベルガイド板を備え、該スイベルガイド板は、表面上の据え付け軌道上に据え付けるように構成されている、項目５に記載のコンピューターコンポーネント据え付けシステム。
（項目１２）
前記スイベルガイド板は、スロットを備え、前記スイベルノブの棒は、該スロットを通して挿入され、前記水平アセンブリと係合する、項目１１に記載のコンピューターコンポーネント据え付けシステム。
（項目１３）
前記長いねじは、前記水平アセンブリおよび前記垂直アセンブリが一体化したユニットとして動作するように、前記水平プラットフォームと動作可能に係合する、項目５に記載のコンピューターコンポーネント据え付けシステム。
（項目１４）
前記長いねじは、前記スイベルノブに近い位置にある前記水平プラットフォームと動作可能に係合する、項目１３に記載のコンピューターコンポーネント据え付けシステム。
（項目１５）
前記内側の押出し部は、遠位端を備え、前記外側の押出し部は、遠位端を備え、前記水平アセンブリは、該内側の押出し部の該遠位端に緊密に取り付けられ、前記基部は、該外側の押出し部の該遠位端に緊密に取り付けられた第二の水平アセンブリを備え、前記コンピューターコンポーネントと同じ寸法に水平に調整するように構成され、その結果、該コンピューターコンポーネントは、該水平アセンブリと該垂直アセンブリおよび第二の水平アセンブリによって、それぞれ三つの表面上で係合される、項目４に記載のコンピューターコンポーネント据え付けシステム。
（項目１６）
前記据え付け手段は、前記水平アセンブリと係合されたスイベルガイド板を備え、該スイベルガイド板は、表面上の据え付け軌道上に据え付けるように構成されている、項目１５に記載のコンピューターコンポーネント据え付けシステム。
（項目１７）
前記据え付け手段は、前記垂直アセンブリと係合されたスイベルガイド板を備え、該スイベルガイド板は、表面上の据え付け軌道上に据え付けるように構成されている、項目１５に記載のコンピューターコンポーネント据え付けシステム。
（項目１８）
前記コンピューターコンポーネント据え付けシステム内で前記コンピューターコンポーネントをしっかり留めるロックをさらに備えている、項目１に記載のコンピューターコンポーネント据え付けシステム。
（項目１９）
据え付けシステムの中にコンピューターコンポーネントを設置する方法であって、該方法は、
（ａ）スイベルノブをゆるめるステップと、
（ｂ）スライダーグリップアセンブリを該コンピューターコンポーネントの第一の寸法よりも長い寸法へ外側にスライドさせるステップと、
（ｃ）ストッパー手段を解放するステップと、
（ｄ）内側の押出し部を該コンピューターコンポーネントの第二の寸法よりも大きい寸法へ上向きにスライドさせるステップと、
（ｅ）一つの表面を有するコンピューターコンポーネントを基部の上に配置するステップであって、該基部は、該コンピューターコンポーネントを安定させるために外側の押出し部の遠位端と緊密に係合されている、ステップと、
（ｆ）水平プラットフォームが該コンピューターコンポーネントの隣接した表面と係合するまで、該内側の押出し部を該基部に対して下げるステップと、
（ｇ）該ストッパー手段を締めるステップと、
（ｈ）該コンピューターコンポーネントの前方の表面と係合するように、該スライダーグリップアセンブリを内側にスライドさせるステップと、
（ｉ）該据え付けシステム内に該コンピューターコンポーネントをしっかり留めるように該スイベルノブを締めるステップと、
（ｊ）据え付けられたレール上にスイベルガイド板をしっかり留めるステップと
を包含する、方法。
（項目２０）
前記スイベルノブは、水平プラットフォームおよびスライダーグリップアセンブリと動作可能に係合し、該スイベルノブをゆるめることは、該スライダーグリップアセンブリが該水平プラットフォームから外側にスライドすることを可能にする、項目１９に記載の方法。
（項目２１）
前記ストッパー手段は、くさびであって、該くさびは、内側の押出し部と外側の押出し部との間で動作可能に係合される、くさびと、長いねじであって、該長いねじは、該くさびとねじで係合される、長いねじとを備える、項目１９に記載の方法。
（項目２２）
前記ストッパー手段は、前記くさびを前記内側の押出し部と前記外側の押出し部との間につかえさせるために、前記長いねじを時計回りに回すことによって締められ得る、項目１９に記載の方法。
（項目２３）
スイベルガイド板を前記コンピューターコンポーネントの上で中心に合わせる（ｋ）のステップでをさらに包含し、該スイベルガイド板は、前記水平プラットフォームと動作可能に係合され、据え付けられたレールに沿ってスライドするための一つ以上のフランジを備えている、項目１９に記載の方法。
【手続補正２】
【補正対象書類名】明細書
【補正対象項目名】００２７
【補正方法】変更
【補正の内容】
【００２７】
本発明の実施形態は、概して図１に図示される。コンピューターコンポーネント据え付けシステムが、水平アセンブリ１００および垂直アセンブリ２００を含む。水平アセンブリ１００は、水平プラットフォーム１０７、スイベルノブアセンブリ１５２、スライダーグリップアセンブリ１５１、クランプ板アセンブリ１６８、および据え付け構造物１５０を含む。図２の実施形態においてより良く示されているように、水平プラットフォーム１０７は、実質的に長方形の部分１５９および長方形部分１５９から下がる対向し合う側面１６０を備えている。長方形部分１５９は、細長いスロット１０８を含み、細長いスロット１０８は、スロット１０８がその端１５３、１５４の間のスライド動作においてねじ、棒または（スイベル座金１０３を含む）他の円筒状の品物を受け入れ得るように、好ましくは約７４ミリメーター（７４ｍｍ）の長さと、好ましくは約１３．５ミリメーター（１３．５ｍｍ）の幅とを有し、好ましくは水平プラットフォーム１０７の中心線に沿って長手方向に延びる。スロットの長さは、約１５ミリメーター（１５ｍｍ）から約１００ミリメーター（１００ｍｍ）の範囲に及ぶ。スロットの長さが短ければ短いほど、水平方向において達成され得る調整は少なくなる。スロットの長さが最大値に近づくときには、水平プラットフォーム１０７の安定性がいくらか失われ、スイベル座金１０３がより大きくなり得る。水平プラットフォーム１０７は、ハンドル１２５の保管用の後方の凹部１５６、および穴１０９をさらに含む。図３に示されるように、ねじ１１０は、以下に説明されるように、垂直アセンブリ２００への水平プラットフォーム１０７の取り付けのために穴１０９と動作可能に係合する。一部の実施形態において、図２に示されるように、水平プラットフォーム１０７はまた、強化板１２６、少なくとも二つの強化板穴１２８、および少なくとも二つの強化板ねじ１２７を含み得る。ねじ１２７は、水平プラットフォーム１０７への強化板１２６の取り付けのための穴１２８と動作可能に係合する。
【手続補正３】
【補正対象書類名】明細書
【補正対象項目名】００３２
【補正方法】変更
【補正の内容】
【００３２】
図７および図８に示される実施形態をさらに参照すると、据え付け構造１５０は、スイベルガイド板１０４、スイベルガイド板オーバーモールド（ｏｖｅｒｍｏｌｄ）１０５および座金１０６を含む。スイベルガイド板１０４は、当分野において周知のように、商業的に利用可能な据え付けブラケットまたは据え付け軌道と動作可能に係合するように構成され得る。スイベルガイド板１０４は、実質的に平坦な板１７４から上がる二つの羽根１７７、１７８を備えている。スイベルガイド板１０４はまた、スイベルノブ座金１０３の長手方向部分１７５と動作可能に係合するように構成された穴１８０(図２に示す）を含む。打ち抜き冷間圧延鋼、粉体塗装したオーバーモールド、およびアセタールコポリマーオーバーモールドを含む、好ましくは金属とプラスチックとから構築された、スイベルガイド板オーバーモールド１０５は、据え付け構造１５０が取り付けられるべき表面を保護するように羽根１７７、１７８のエッジをおおう。座金１０６はまた、スイベルノブ座金１０３の長手方向部分１７５と操作可能に係合するように構成される。
【手続補正４】
【補正対象書類名】明細書
【補正対象項目名】００３３
【補正方法】変更
【補正の内容】
【００３３】
図７および図８に示される実施形態を参照すると、水平アセンブリ１００を組み立てるために、スイベルノブ棒１０２がスイベル座金１０３に挿入される。次いで、スイベル座金１０３の長手方向部分１７５が、スイベルガイド板１０４の穴１８０を通り、座金１０６を通り、水平プラットフォーム１０７のスロット１０８を通して挿入される。次いで、上部スライダー板１２０の壁のある穴１２２は、スライダーグリップアセンブリ１５１のスロット１１７およびスロット１１６を通して上方に挿入される。スイベルノブ棒１０２は、ねじ山１７０を有するねじ式の壁のある穴１２２と動作可能に係合する。次いで、スイベルノブ棒１０２の端１７１は、基部スライダー板の穴１７４を通して挿入されて、ｅ型保持リング１２３、または任意の他のタイプのスナップリングもしくは保持コンポーネントと固定的に係合する。発泡体層１６９は、基部スライダー板１２１からのコンピューターコンポーネントと、スイベルノブ棒１０２の端１７１と、ｅ型保持リング１２３とを保護するために、接着剤、ピンなどを含む当分野において公知の任意の方法で、基部スライダー板１２１の底面に取り付けられる。ユーザーがスイベルノブ１０１を時計回りに回すとき、スイベルノブ棒１０２は、発泡体層１６９がコンピューターコンポーネントの表面と係合するまで、クランプ板アセンブリ１６８を下げ、基部スライダー板１２１を下げ、上部スライダー板を上げてスライダーグリップアセンブリ１５１を締める。同様に、ユーザーがスイベルノブ１０１を反時計回りに回すとき、スイベルノブ棒１０２は、コンピューターコンポーネントの表面からクランプ板アセンブリ１６８を上げ、スライダーグリップアセンブリ１５１と、水平プラットフォーム１０７と、クランプ板アセンブリ１６８との間の接続をゆるめる。次いで、グリッピングエッジ１２４は、前後にスライドすることによって、グリッピングエッジ１２４と垂直アセンブリ２００との間の水平距離を調整するために用いられ得る。スイベルノブ１０１、スイベルノブ棒１０２、スイベルノブ座金１０３、上部スライダー板１２０および基部スライダー板１２１は、水平プラットフォームのスロット１０８と、スライダーグリップアセンブリ１５１のスロット１１６、１１７との中に閉じ込められて、調和して横方向に動き得る。組み立てられるとき、据え付け構造１５０は、スイベル座金１０３の長手方向部分１７５の周りを３６０度旋回し得る。
【手続補正５】
【補正対象書類名】明細書
【補正対象項目名】００３４
【補正方法】変更
【補正の内容】
【００３４】
ここで図５（Ｃ）および図８に示される実施形態を参照すると、垂直アセンブリ２００は、長いねじ１１３、ハンドルアセンブリ２１８、内側の押出し部２０１、内側の押出し部キャップ２０５、内側の押出し部スリーブ２０２、外側の押出し部２０３、ストッパーアセンブリ２１９および基部アセンブリ３００を含む。ハンドルアセンブリ２１８は、ハンドル基部１１１、ハンドル１２５、ハンドル座金１３０、ハンドルピン１１２、および長いねじ座金１２９を備えている。ハンドル基部１１１は、好ましくは長手方向部分２２１を有するＴ字状であり、長手方向部分２２１は、水平プラットフォーム１０７の穴１７６を通して挿入される。ハンドル基部１１１は、ハンドルピン１１２のための横方向の穴と、長いねじ１１３のための長手方向の穴とを含む。長いねじ１１３は、好ましくは、以下に説明されるように、当分野において公知の任意の手段によってハンドル基部１１１に固定的に取り付けられた上部端２２３を有し、かつ、ストッパーアセンブリ２１９に固定的に取り付けられた底部端２３０を有し、５０ミリメーター（５０ｍｍ）のねじ山部を有して、長さが約３００ミリメーター（３００ｍｍ）である。長いねじ１１３は、座金１２９と、ｅ型保持リング２１４と、ストッパーアセンブリ２１９とに動作可能に係合するねじ山を含む。長いねじ１１３は、長いねじ１１３の上部分を通してハンドルピン１１２を垂直に挿入するための上部端２２３に近い、小さな穴２２４をさらに含む。ハンドル１２５は、好ましくは、片手を用いるユーザーによってつかまれ、引っ張られ、回されるように構成されたループ型ハンドルである。ハンドル座金１３０は、水平プラットフォーム１０７と動作可能に係合してハンドル基部１１１を支持する。ハンドルピン１１２は、ハンドル１２５をハンドル基部１１１に取り付け、長いねじ１１３を通して挿入され、長いねじ１１３は、ハンドル１２５がピン１１２の周りを回転し、垂直な位置にあるときには長いねじ１１３を時計回りまたは反時計回りに回すことを可能にする。長いねじの座金１２９とｅ型保持リング２１５とは、内側の押出し部２０１と動作可能に係合して、長いねじ１１３とハンドル基部１１１とを支持する。ハンドルアセンブリ２１８と垂直アセンブリの上側部分とは、図５（ｃ）の分解組立図と図８の断面図とにおいて最も良く示されている。組み立てられるとき、図９（ａ）において最も良く示されているように、ハンドル１２５は、ユーザーが本発明を用いてコンピューターコンポーネントを設置するのにかかる時間が、従来の設置の方法に比べて低減されるように、そして、ユーザーが本発明の垂直と水平との寸法を迅速かつ効率的に調整し得るように、スイベルノブ１０１の近くに配置される。
【手続補正６】
【補正対象書類名】明細書
【補正対象項目名】００３５
【補正方法】変更
【補正の内容】
【００３５】
内側の押出し部２０１は、好ましくは、アルミニウム、またはプラスチックのような金属から押出され得るが、当分野において公知の任意の方法によって鋳造または形成され得る。内側の押出し部は、好ましくは、長さが約２７０ミリメーター（２７０ｍｍ）、幅が約２２ミリメーター（２２ｍｍ）、奥行きが約１０５ミリメーター（１０５ｍｍ）である。これらの寸法は例としてのみ提供されるのであり、本発明は同じ機能を達成するために異なる寸法で製造され得ることが、当業者によって理解されるべきである。一部の実施形態において、内側の押出し部２０１は、図５（ｂ）において示される断面図を用いて作られ得る。内側の押出し部２０１は、ねじ１１０、２０８の取り付けのための穴２１３と、外側の押出し部２０３の中での位置合わせのための穴２１７とを含む。好ましくは、二つの穴２１３は、内側の押出し部２０１の長さに連続的にわたり、（図３に示されるような）ねじ１１０、（図５（ｂ）に示されるような）ねじ２０８を受容して、それらとの動作可能な係合のために、両端にねじ山を提供する。この方法で、内側の押出し部２０１は、（図８に示されるような）穴２１３を有するねじ１１０の動作可能な係合によって水平プラットフォーム１０７に固定的に取り付けられ得、内側の押出し部２０１は、（図５（ａ）に示されるような）穴２１３を有するねじ２０８の動作可能な係合によって内側の押出し部キャップ２０５に固定的に取り付けられ得る。好ましくは、穴２１７はまた、組み立てられるとき、外側の押出し部２０３による動作可能な係合のために、内側の押出し部２０１の長さに連続的にわたる。図５（ａ）に示される実施形態に示されるように、内側の押出し部キャップ２０５は、内側の押出し部２０１の底面を支え、その結果、内側の押出し部２０１が外側の押出し部２０３から完全に延びるとき、内側の押出し部キャップ２０５が押出し部スリーブ２０２によって保持される。内側の押出し部キャップ２０５は、好ましくはプラスチックで作られ得、好ましくは、組み立てられるときに長いねじ１１３の底部端２３０の挿入のための穴２２８と、内側の押出し部２０１のスロット２１３と動作可能に係合するねじ２０８のための穴２１０とを含む。
【手続補正７】
【補正対象書類名】特許請求の範囲
【補正対象項目名】全文
【補正方法】変更
【補正の内容】
【特許請求の範囲】
【請求項１】
コンピューターコンポーネント据え付けシステムであって、該コンピューターコンポーネント据え付けシステムは、
ａ．コンピューターコンポーネントの第一の寸法に対して垂直に適応する垂直アセンブリであって、
外側の押出し部と内側の押出し部とを備え、該内側の押出し部は、該外側の押出し部の中でスライド可能に係合されている、垂直アセンブリと、
ｂ．該内側の押出し部と該外側の押出し部とを互いに対して実質的に動かないようにするストッパー手段であって、
内側の押出し部と外側の押出し部との間で動作可能に係合されるくさびと、該くさびとねじ係合される長いねじとを備えている、ストッパー手段と、
ｃ．該コンピューターコンポーネントを安定させる基部であって、該外側の押出し部の遠位端に緊密に取り付けられている、基部と
ｄ．該コンピューターコンポーネント据え付けシステムを表面にしっかり留める据え付け手段であって、該垂直アセンブリに取り付けられている、据え付け手段と
を備えている、コンピューターコンポーネント据え付けシステム。
【請求項２】
前記長いねじは、第一の端および第二の端を有し、該第一の端で前記くさびとねじ係合され、該長いねじが第一の方向に回されると、該くさびは上向きに動き、前記内側の押出し部と前記外側の押出し部とを互いに対して実質的に動かさないように、該内側の押出し部と該外側の押出し部との間につかえ、かつ、該長いねじが第二の方向に回されると、該くさびは下向きに動き、該内側の押出し部と該外側の押出し部とが互いに対してスライドすることを可能にするようにはずれる、請求項１に記載のコンピューターコンポーネント据え付けシステム。
【請求項３】
前記長いねじは、該長いねじを回すことを容易にするように、該長いねじの前記第二の端に接続されたハンドルをさらに備えている、請求項１に記載のコンピューターコンポーネント据え付けシステム。
【請求項４】
前記コンピューターコンポーネントの第二の寸法に対して水平に適応する水平アセンブリをさらに備えている、請求項１に記載のコンピューターコンポーネント据え付けシステム。
【請求項５】
前記水平アセンブリは、
水平プラットフォームと、
スライダーグリップアセンブリと、
スイベルノブと
を備え、該スイベルノブは、該水平プラットフォームと該スライダーグリップアセンブリとに動作可能に係合し、前記コンピューターコンポーネントの少なくとも一つの表面と係合するために、該スライダーグリップアセンブリが該水平プラットフォームから外側および内側に調整され得る、請求項４に記載のコンピューターコンポーネント据え付けシステム。
【請求項６】
前記スライダーグリップアセンブリは、グリッピングエッジと動作可能に係合されたスライダープラットフォームを備え、該グリッピングエッジは、該スライダープラットフォームから垂直に突き出し、該コンピューターコンポーネントの表面と係合するために、前記水平プラットフォームに対して外側および内側にスライドする、請求項５に記載のコンピューターコンポーネント据え付けシステム。
【請求項７】
前記スライダーグリップアセンブリは、クランプ板アセンブリをさらに備え、該クランプ板アセンブリは、前記スライダープラットフォームと前記スイベルノブとに動作可能に係合され、その結果、該スイベルノブを第一の方向に回すことが、該クランプ板アセンブリを下げて該コンピューターコンポーネントの隣接した表面に対して取り外し可能に押し付け、同時に、前記グリッピングエッジが該コンピューターコンポーネントの前記表面と取り外し可能に係合するように、該スライダープラットフォームと前記水平プラットフォームとを互いに対して実質的に動かないようにする、請求項６に記載のコンピューターコンポーネント据え付けシステム。
【請求項８】
前記クランプ板アセンブリは、少なくとも一つのエラストノマー層を備え、前記コンピューターコンポーネントの前記隣接した表面に対して取り外し可能に押し付ける、請求項７に記載のコンピューターコンポーネント据え付けシステム。
【請求項９】
前記スライダープラットフォームは、スロットを備え、前記水平プラットフォームは、スロットを備え、前記スイベルノブは、棒と、該棒の第一の端に係合されたノブハンドルとを備え、該棒の第二の端は、該水平プラットフォームの中の該スロットを通って、該スライダープラットフォームの中の該スロットを通って挿入され、そして前記クランプ板アセンブリと係合する、請求項７に記載のコンピューターコンポーネント据え付けシステム。
【請求項１０】
前記棒は、前記スライダープラットフォームの前記スロットおよび前記水平プラットフォームの前記スロットの中で動作可能に係合され、その結果、該棒は、該スライダープラットフォームの該スロットの長さをスライドし、前記水平アセンブリを前記コンピューターコンポーネントの前記第二の寸法に調整し得る、請求項９に記載のコンピューターコンポーネント据え付けシステム。
【請求項１１】
前記据え付け手段は、前記水平アセンブリと係合されたスイベルガイド板を備え、該スイベルガイド板は、表面上の据え付け軌道上に据え付けるように構成されている、請求項５に記載のコンピューターコンポーネント据え付けシステム。
【請求項１２】
前記スイベルガイド板は、スロットを備え、前記スイベルノブの棒は、該スロットを通して挿入され、前記水平アセンブリと係合する、請求項１１に記載のコンピューターコンポーネント据え付けシステム。
【請求項１３】
前記長いねじは、前記水平アセンブリおよび前記垂直アセンブリが一体化したユニットとして動作するように、前記水平プラットフォームと動作可能に係合する、請求項５に記載のコンピューターコンポーネント据え付けシステム。
【請求項１４】
前記長いねじは、前記スイベルノブに近い位置にある前記水平プラットフォームと動作可能に係合する、請求項１３に記載のコンピューターコンポーネント据え付けシステム。
【請求項１５】
前記内側の押出し部は、遠位端を備え、前記外側の押出し部は、遠位端を備え、前記水平アセンブリは、該内側の押出し部の該遠位端に緊密に取り付けられ、前記基部は、該外側の押出し部の該遠位端に緊密に取り付けられた第二の水平アセンブリを備え、前記コンピューターコンポーネントと同じ寸法に水平に調整するように構成され、その結果、該コンピューターコンポーネントは、該水平アセンブリと該垂直アセンブリおよび第二の水平アセンブリによって、それぞれ三つの表面上で係合される、請求項４に記載のコンピューターコンポーネント据え付けシステム。
【請求項１６】
前記据え付け手段は、前記水平アセンブリと係合されたスイベルガイド板を備え、該スイベルガイド板は、表面上の据え付け軌道上に据え付けるように構成されている、請求項１５に記載のコンピューターコンポーネント据え付けシステム。
【請求項１７】
前記据え付け手段は、前記垂直アセンブリと係合されたスイベルガイド板を備え、該スイベルガイド板は、表面上の据え付け軌道上に据え付けるように構成されている、請求項１５に記載のコンピューターコンポーネント据え付けシステム。
【請求項１８】
前記コンピューターコンポーネント据え付けシステム内で前記コンピューターコンポーネントをしっかり留めるロックをさらに備えている、請求項１に記載のコンピューターコンポーネント据え付けシステム。
【請求項１９】
据え付けシステムの中にコンピューターコンポーネントを設置する方法であって、該方法は、
（ａ）スイベルノブをゆるめるステップと、
（ｂ）スライダーグリップアセンブリを該コンピューターコンポーネントの第一の寸法よりも長い寸法へ外側にスライドさせるステップと、
（ｃ）ストッパーを解放するステップと、
（ｄ）内側の押出し部を該コンピューターコンポーネントの第二の寸法よりも大きい寸法へ上向きにスライドさせるステップと、
（ｅ）一つの表面を有するコンピューターコンポーネントを基部の上に配置するステップであって、該基部は、該コンピューターコンポーネントを安定させるために外側の押出し部の遠位端と緊密に係合されている、ステップと、
（ｆ）水平プラットフォームが該コンピューターコンポーネントの隣接した表面と係合するまで、該内側の押出し部を該基部に対して下げるステップと、
（ｇ）該内側の押出し部と該外側の押し出し部との間のくさびにつかえさせるように長いねじを回すことによって、該ストッパー手段を締めるステップと、
（ｈ）該コンピューターコンポーネントの前方の表面と係合するように、該スライダーグリップアセンブリを内側にスライドさせるステップと、
（ｉ）該据え付けシステム内に該コンピューターコンポーネントをしっかり留めるように該スイベルノブを締めるステップと、
（ｊ）据え付けられたレール上にスイベルガイド板をしっかり留めるステップと
を包含する、方法。
【請求項２０】
前記スイベルノブは、前記水平プラットフォームおよび前記スライダーグリップアセンブリと動作可能に係合し、該スイベルノブをゆるめることは、該スライダーグリップアセンブリが該水平プラットフォームから外側にスライドすることを可能にする、請求項１９に記載の方法。
【請求項２１】
前記長いねじは、前記くさびとねじ係合されている、請求項１９に記載の方法。
【請求項２２】
前記長いねじを回すことは、該長いねじを時計回りに回すことをさらに含む、請求項１９に記載の方法。
【請求項２３】
前記スイベルガイド板を前記コンピューターコンポーネントの上で中心に合わせる（ｋ）のステップをさらに包含し、該スイベルガイド板は、前記水平プラットフォームと動作可能に係合され、据え付けられたレールに沿ってスライドするための一つ以上のフランジを備えている、請求項１９に記載の方法。
【手続補正８】
【補正対象書類名】図面
【補正対象項目名】全図
【補正方法】変更
【補正の内容】
【図１】
2010522373.tif 000017
【図２】
2010522373.tif 000018
【図３】
2010522373.tif 000019
【図４】
2010522373.tif 000020
【図５Ａ】
2010522373.tif 000021
【図５Ｂ】
2010522373.tif 000022
【図５Ｃ】
2010522373.tif 000023
【図６Ａ】
2010522373.tif 000024
【図６Ｂ】
2010522373.tif 000025
【図６Ｃ】
2010522373.tif 000026
【図７】
2010522373.tif 000027
【図８】
2010522373.tif 000028
【図９Ａ】
2010522373.tif 000029
【図９Ｂ】
2010522373.tif 000030
【国際調査報告】
2010522373.tif 000031
2010522373.tif 000032